(57)【特許請求の範囲】
【請求項１】
ユーザが所有する曲データを再生可能なサーバ装置と、前記ユーザが所有し且つ外出先で曲データの再生が可能な携帯型の端末装置と、を備える情報処理システムにおいて、
前記サーバ装置は、
前記情報処理システムの使用者に属する曲に相当する曲データと、各前記曲データの再生回数を示す当該曲データ毎の再生回数データと、を夫々記憶するサーバ記憶手段と、
前記曲データを前記端末装置に転送するサーバ転送手段と、
前記再生回数に応じて前記曲データを選択するために用いられる選択手段と、
前記端末装置の端末装置転送手段から端末再生回数データが出力されて来たとき、当該出力されて来た端末再生回数データに基づき、当該出力されて来た端末再生回数データに対応する前記再生回数データを更新するサーバ更新手段と、
を備え、
前記端末装置は、
前記サーバ転送手段により転送されて来た前記曲データを受信する受信手段と、
前記受信された曲データを記憶する端末曲データ記憶手段と、
前記サーバ装置と非接続の状態で、前記記憶されている曲データを再生する再生手段と、
前記記憶されている曲データの前記再生手段による再生回数を示す前記端末再生回数データを記憶する端末再生回数データ記憶手段と、
前記再生手段における前記曲データの再生が完了する度に、当該再生が完了した前記曲データに対応する前記端末再生回数データをインクリメントするインクリメント手段と、
前記端末装置が前記サーバ装置に接続されたことを検出して自動的且つ即時に、当該接続されたときに前記端末再生回数データ記憶手段に記憶されている前記端末再生回数データを当該サーバ装置に転送する前記端末装置転送手段と、
を備えることを特徴とする情報処理システム。
【請求項２】
ユーザが所有する曲データを再生可能なサーバ装置と、前記ユーザが所有し且つ外出先で曲データの再生が可能な携帯型の端末装置と、を備える情報処理システムにおいて実行される情報処理方法において、
前記サーバ装置は、前記情報処理システムの使用者に属する曲に相当する曲データと、各前記曲データの再生回数を示す当該曲データ毎の再生回数データと、を夫々記憶するサーバ記憶手段を備え、前記端末装置は、前記曲データを記憶する端末曲データ記憶手段と、前記端末装置における前記記憶されている曲データの再生回数を示す端末再生回数データを記憶する端末再生回数データ記憶手段と、を備え、
前記サーバ記憶手段に記憶されている前記曲データを、前記サーバ装置から前記端末装置に転送する第１転送工程と、
前記転送された曲データを前記端末装置において受信する受信工程と、
前記受信された曲データを前記端末曲データ記憶手段に記憶させる記憶工程と、
前記サーバ装置と非接続の状態で、前記端末曲データ記憶手段に記憶されている前記曲データを前記端末装置において再生する再生工程と、
前記端末装置における前記曲データの再生が完了する度に、当該再生が完了した前記曲データに対応する前記端末再生回数データをインクリメントするインクリメント工程と、
前記端末装置が前記サーバ装置に接続されたことを検出して自動的且つ即時に、当該接続されたときに前記端末再生回数データ記憶手段に記憶されている前記端末再生回数データを当該端末装置から当該サーバ装置に転送する第２転送工程と、
前記端末装置から前記端末再生回数データが前記サーバ装置に転送されたとき、当該転送された端末再生回数データに基づき、当該転送された端末再生回数データに対応する前記再生回数データを前記サーバ装置において更新する更新工程と、
前記サーバ装置において、前記更新された再生回数に応じて前記曲データを選択する選択工程と、
を含むことを特徴とする情報処理方法。
【請求項３】
ユーザが所有する曲データを再生可能なサーバ装置と、前記ユーザが所有し且つ外出先で曲データの再生が可能な携帯型の端末装置と、を備える情報処理システムに含まれる当該端末装置であって、当該サーバ装置は、前記情報処理システムの使用者に属する曲データと、当該曲データの再生回数を示す再生回数データと、を夫々記憶するサーバ記憶手段と、当該再生回数データに基づいた前記曲データの選択に用いられる選択手段と、を備え、前記記憶されている曲データの少なくとも一部を当該サーバ装置から転送させて記憶する前記端末装置であって、
前記サーバ装置と接続された際、当該サーバ装置から転送された前記曲データを受信する受信手段と、
前記受信された曲データを記憶する端末曲データ記憶手段と、
前記サーバ装置と非接続の状態で、前記記憶されている曲データ再生する再生手段と、
前記記憶されている曲データの前記再生手段による再生回数を示す端末再生回数データを記憶する端末再生回数データ記憶手段と、
前記再生手段における前記曲データの再生が完了する度に、当該再生が完了した前記曲データに対応する前記端末再生回数データをインクリメントするインクリメント手段と、
前記端末装置が前記サーバ装置に接続されたことを検出して自動的且つ即時に、当該接続されたときに前記端末再生回数データ記憶手段に記憶されている前記端末再生回数データを当該サーバ装置に転送する前記端末装置転送手段と、
を備えることを特徴とする端末装置。
【発明の詳細な説明】
【０００１】
【発明の属する技術分野】
本発明は、情報処理システム、端末装置及び情報処理方法の技術分野に属し、より詳細には、複数の情報を蓄積すると共にこれらを端末装置に出力して活用させるための情報処理システム、端末装置及び情報処理方法の技術分野に属する。
【０００２】
【従来の技術】
近年、家庭内に設置されているオーディオ装置を多数の曲を蓄積するサーバ装置として機能させ、当該オーディオ装置から携帯用の小型の端末装置に複数の曲を複写して記憶させ、これを外出先等で再生することにより曲を聴取する構成のオーディオシステムが開発されている。
【０００３】
このとき、従来のオーディオシステムにおいては、著作権保護上の要請から、曲の取扱いとしてはオーディオ装置から端末装置に複写されるのみであり、当該複写された曲が端末装置から再度オーディオ装置の方に返還されることはなかった。
【０００４】
また、上述した従来のオーディオシステムにおいては、過去において端末装置にどのような曲が複写されて聴取されたか、或いは複写された回数が多い曲（すなわち、端末装置において聴取された回数が多くその使用者の嗜好に合った曲）はどの曲か、等の情報を活用して曲を選択するということは為されていなかった。
【０００５】
更に、オーディオ装置に蓄積されている曲全体を統括する情報を用いることも為されていなかった。
【０００６】
【発明が解決しようとする課題】
しかしながら、上述したような曲の聴取状況を示す情報を活用しない場合には、その端末装置の使用者においてどのような曲を嗜好するのか等の曲の使用状況をサーバ装置内に蓄積することができず、例えば最近聞いて気に入った曲を再度聞きたいとか、或いは過去に聞いたことのある特定の曲を再度聴取する場合に最終の聴取日でその曲を特定して端末装置に再度出力するといったような、使用者の聴取の態様に合わせた選曲及び出力ができないという問題点があった。
【０００７】
また、オーディオ装置に蓄積されている曲全体を統括する情報を用いない場合には、端末装置においてオーディオ装置内に他にどのような曲が蓄積されているかを即座に確認することができす、例えば次に端末装置に曲を複写する場合にいずれの曲を複写するかを予め予約するといった処理ができず利便性が低いという問題点もあった。
【０００８】
そこで、本発明は、上記の各問題点に鑑みて為されたもので、その課題は、端末装置の使用者における聴取の態様に合わせて曲を複写するように蓄積しておくことが可能であると共に曲を聴取する際の利便性を向上させることが可能な端末装置、当該端末装置を含む情報処理システム並びに当該情報処理システムにおいて実行される情報処理方法を提供することにある。
【０００９】
【課題を解決するための手段】
上記の課題を解決するために、請求項１に記載の発明は、ユーザが所有する曲データを再生可能なサーバ装置と、前記ユーザが所有し且つ外出先で曲データの再生が可能な携帯型の端末装置と、を備える情報処理システムにおいて、前記サーバ装置は、前記情報処理システムの使用者に属する曲に相当する曲データと、各前記曲データの再生回数を示す当該曲データ毎の再生回数データと、を夫々記憶するサーバ記憶手段と、前記曲データを前記端末装置に転送するサーバ転送手段と、前記再生回数に応じて前記曲データを選択するために用いられる選択手段と、前記端末装置の端末装置転送手段から端末再生回数データが出力されて来たとき、当該出力されて来た端末再生回数データに基づき、当該出力されて来た端末再生回数データに対応する前記再生回数データを更新するサーバ更新手段と、を備え、前記端末装置は、  前記サーバ転送手段により転送されて来た前記曲データを受信する受信手段と、  前記受信された曲データを記憶する端末曲データ記憶手段と、前記サーバ装置と非接続の状態で、前記記憶されている曲データを再生する再生手段と、前記記憶されている曲データの前記再生手段による再生回数を示す前記端末再生回数データを記憶する端末再生回数データ記憶手段と、  前記再生手段における前記曲データの再生が完了する度に、当該再生が完了した前記曲データに対応する前記端末再生回数データをインクリメントするインクリメント手段と、前記端末装置が前記サーバ装置に接続されたことを検出して自動的且つ即時に、当該接続されたときに前記端末再生回数データ記憶手段に記憶されている前記端末再生回数データを当該サーバ装置に転送する前記端末装置転送手段と、を備える。
【００１０】
上記の課題を解決するために、請求項２に記載の発明は、ユーザが所有する曲データを再生可能なサーバ装置と、前記ユーザが所有し且つ外出先で曲データの再生が可能な携帯型の端末装置と、を備える情報処理システムにおいて実行される情報処理方法において、前記サーバ装置は、前記情報処理システムの使用者に属する曲に相当する曲データと、各前記曲データの再生回数を示す当該曲データ毎の再生回数データと、を夫々記憶するサーバ記憶手段を備え、前記端末装置は、前記曲データを記憶する端末曲データ記憶手段と、前記端末装置における前記記憶されている曲データの再生回数を示す端末再生回数データを記憶する端末再生回数データ記憶手段と、を備え、前記サーバ記憶手段に記憶されている前記曲データを、前記サーバ装置から前記端末装置に転送する第１転送工程と、前記転送された曲データを前記端末装置において受信する受信工程と、前記受信された曲データを前記端末曲データ記憶手段に記憶させる記憶工程と、前記サーバ装置と非接続の状態で、前記端末曲データ記憶手段に記憶されている前記曲データを前記端末装置において再生する再生工程と、前記端末装置における前記曲データの再生が完了する度に、当該再生が完了した前記曲データに対応する前記端末再生回数データをインクリメントするインクリメント工程と、前記端末装置が前記サーバ装置に接続されたことを検出して自動的且つ即時に、当該接続されたときに前記端末再生回数データ記憶手段に記憶されている前記端末再生回数データを当該端末装置から当該サーバ装置に転送する第２転送工程と、前記端末装置から前記端末再生回数データが前記サーバ装置に転送されたとき、当該転送された端末再生回数データに基づき、当該転送された端末再生回数データに対応する前記再生回数データを前記サーバ装置において更新する更新工程と、前記サーバ装置において、前記更新された再生回数に応じて前記曲データを選択する選択工程と、を含む。
【００１１】
上記の課題を解決するために、請求項３に記載の発明は、ユーザが所有する曲データを再生可能なサーバ装置と、前記ユーザが所有し且つ外出先で曲データの再生が可能な携帯型の端末装置と、を備える情報処理システムに含まれる当該端末装置であって、当該サーバ装置は、前記情報処理システムの使用者に属する曲データと、当該曲データの再生回数を示す再生回数データと、を夫々記憶するサーバ記憶手段と、当該再生回数データに基づいた前記曲データの選択に用いられる選択手段と、を備え、前記記憶されている曲データの少なくとも一部を当該サーバ装置から転送させて記憶する前記端末装置であって、前記サーバ装置と接続された際、当該サーバ装置から転送された前記曲データを受信する受信手段と、前記受信された曲データを記憶する端末曲データ記憶手段と、前記サーバ装置と非接続の状態で、前記記憶されている曲データ再生する再生手段と、前記記憶されている曲データの前記再生手段による再生回数を示す端末再生回数データを記憶する端末再生回数データ記憶手段と、前記再生手段における前記曲データの再生が完了する度に、当該再生が完了した前記曲データに対応する前記端末再生回数データをインクリメントするインクリメント手段と、前記端末装置が前記サーバ装置に接続されたことを検出して自動的且つ即時に、当該接続されたときに前記端末再生回数データ記憶手段に記憶されている前記端末再生回数データを当該サーバ装置に転送する前記端末装置転送手段と、を備える。
【００３９】
【発明の実施の形態】
次に、本発明に好適な実施の形態について、図面に基づいて説明する。
【００４０】
なお、以下に説明する実施の形態は、多数の曲（楽曲）を蓄積すると共にその中から使用者に所望される曲を端末装置に転送・複写させることができるサーバと、当該サーバから転送されてきた曲を記憶すると共にこれらを使用者の操作により再生して出力することが可能な携帯型の端末装置と、を含むオーディオシステムにおける曲の転送処理に対して本発明を適用した場合の実施の形態である。
【００４１】
（Ｉ）全体構成の実施形態
始めに、実施形態に係るオーディオシステムの全体構成及び基本動作について図１乃至図４を用いて説明する。
【００４２】
なお、図１は当該オーディオシステムの全体構成を示すブロック図であり、図２は後述する対応情報及び一括情報（以下、当該対応情報及び一括情報を纏めて、適宜対応情報等と称する。）の内容を示す図であり、図３及び図４は実施形態に係る対応情報等の取扱いを夫々模式的に説明する模式図である。
【００４３】
図１に示すように、実施形態に係るオーディオシステムＳは、多数の曲を蓄積すると共に、使用者により所望する曲が選択されると、その選択された曲及びその曲に対応する対応情報等を端末装置１０に転送して複写させるサーバ１と、当該サーバ１から転送されてきた曲を複写・記憶すると共に必要に応じて当該記憶している曲を聴取することが可能な携帯型の端末装置１０と、により構成される。
【００４４】
なお、当該端末装置１０は、サーバ１から転送されてきた曲の聴取が完了すると、その完了後の態様に基づいて内容が変更された上記対応情報等を使用者の操作によりサーバ１に返還する動作も行う。
【００４５】
次に、サーバ１及び端末装置１０の細部構成及び動作について説明する。
【００４６】
先ず、サーバ１は、操作部２と、表示部３と、出力手段及び記憶制御手段としてのＣＰＵ４と、蓄積手段としての主記憶部５ａ並びに対応情報記憶手段及び一括情報記憶手段としての副記憶部５ｂからなる外部記憶部５と、インタフェース６と、出力部７と、により構成されている。
【００４７】
一方、端末装置１０は、操作部１１と、表示部１２と、インタフェース１３と、取得手段、変更手段及び返還手段としてのＣＰＵ１４と、出力部１５と、主記憶部１６ａ及び副記憶部１６ｂからなる外部記憶部１６と、により構成されている。
【００４８】
次に、オーディオシステムＳとしての基本動作を説明する。
【００４９】
最初に、サーバ１における基本動作について説明する。
【００５０】
サーバ１内の外部記憶部５における主記憶部５ａには、多数の曲Ｍが、例えば図３左に示すように相互に識別可能に蓄積・記憶されている。なお、図３左においては、第１曲Ｍ１乃至第１２曲Ｍ１２が主記憶部５ａ内に蓄積・記憶されている。そして、これら各曲Ｍは、ＣＰＵ４からの制御により曲信号Ｓmとして当該ＣＰＵ４に出力される。
【００５１】
次に、サーバ１内の外部記憶部５における副記憶部５ｂには、主記憶部５ａ内に蓄積・記憶されている各曲Ｍに一対一に対応する態様で、当該各曲Ｍの内容及びその属性を示す対応情報Ｔが例えば図３左に示すように相互に識別可能に且つ各曲Ｍ毎に蓄積・記憶されている。なお、図３左においては、上述した第１曲Ｍ１乃至第１２曲Ｍ１２に夫々一対一に対応する態様で第１対応情報Ｔ１乃至第１２対応情報Ｔ１２が副記憶部５ｂ内に蓄積・記憶されている。
【００５２】
ここで、一の曲Ｍに対応して記憶されている一の対応情報Ｔに含まれている情報について、図２（ａ）を用いて説明する。
【００５３】
図２（ａ）に示すように、一の対応情報Ｔ内には、当該対応情報Ｔが一対一に対応付けられる曲Ｍの内容及び属性を示す情報が含まれており、具体的には、当該曲Ｍの曲名を示す曲名情報２０と、その曲名の読み仮名を示す読み仮名情報２１と、その曲を演奏又は歌唱している演奏者又は歌手を示すアーティスト情報２２と、その曲の属する音楽上のジャンル（カテゴリ）を示すジャンル情報２３と、その曲の嗜好度（すなわち、どの程度頻繁に使用者によって聴取されているかを示す嗜好度）を示す嗜好度情報２４と、その曲が主記憶部５ａ内に格納された日を示す録音日情報２５と、その曲が端末装置１０上で最後に聴取された日を示す最終聴取日情報２６と、その曲がサーバ１から端末装置１０に転送された回数を示す転送回数情報２７と、その曲が最後に聴取されたときに再生が停止された位置を示す再生停止位置情報（具体的には、その曲の途中で再生（聴取）が停止されたときはその停止された位置の曲の最初からの時間情報）２８と、が含まれている。
【００５４】
次に、上記副記憶部５ｂには、上記当該主記憶部５ａ内に蓄積・記憶されている各曲Ｍ全体に対応する態様で各曲Ｍを総括的に示す一括情報ＴＬが例えば図３左に示すように記憶されている。
【００５５】
ここで、各曲Ｍ全体に対応して記憶されている一括情報ＴＬに含まれている情報について、図２（ｂ）を用いて説明する。
【００５６】
図２（ｂ）に示すように、一括情報ＴＬ内には、主記憶部５ａに蓄積・記憶されている全ての曲Ｍの内容及び属性を示す情報が一括して含まれており、具体的には、全ての曲Ｍの曲名を一覧表として記述した保有曲名一覧３０と、各曲Ｍを演奏又は歌唱している演奏者又は歌手を一覧表として記述した保有曲アーティスト一覧３１と、各曲Ｍが主記憶部５ａ内に格納された日を曲別に一覧表として記述した曲別録音日一覧３２と、各曲Ｍが端末装置１０上で最後に聴取された日を曲別に一覧表として記述した最終聴取日一覧３３と、各曲Ｍの嗜好度を曲別に一覧表として記述した曲別嗜好度一覧３４と、次回に端末装置１０へ転送行うことが予約されている曲Ｍを示す予約情報３５と、が含まれている。
【００５７】
なお、上述した内容を夫々に含む各対応情報Ｔ及び一括情報ＴＬは、ＣＰＵ４からの制御により対応情報信号Ｓsbとして当該ＣＰＵ４に出力されると共に、後述するように当該対応情報Ｔ及び一括情報ＴＬが端末装置１０において変更されて返還されてきたときは、その返還されてきた対応情報Ｔ及び一括情報ＴＬが対応情報信号Ｓsbとして当該ＣＰＵ４から出力され、これらが元の対応情報Ｔ及び一括情報ＴＬに代わって副記憶部５ｂ内に記憶される。
【００５８】
一方、操作部２において端末装置１０を携帯する使用者によりその端末装置１０において聴取する曲Ｍが選択されると、当該操作部２は、その曲Ｍを示す操作信号Ｓcsを生成してＣＰＵ４に出力する。
【００５９】
これに加えて、操作部２において使用者によりサーバ１において聴取する曲Ｍが選択されると、当該操作部２は、その曲Ｍを示す操作信号Ｓcsをも生成してＣＰＵ４に出力する。
【００６０】
これらにより、ＣＰＵ４は、操作部２からの操作信号Ｓcsに基づいて、曲Ｍをサーバ１において聴取する場合には、当該聴取される曲Ｍを曲信号Ｓｍとして主記憶部５ａから読み出し、これを出力信号Ｓosとして出力部７に出力する。
【００６１】
そして、出力部７は、当該出力信号Ｓos内に含まれている曲Ｍを上記使用者に対して出力する。この出力の態様として具体的には、例えば、図示しないスピーカを介して直接出力しても良いし、或いは、出力部７にヘッドフォン又はイヤフォン等が接続されているときはそのヘッドフォン等に出力しても良い。
【００６２】
これと並行して、曲Ｍをサーバ１において聴取する場合にＣＰＵ４は、その曲Ｍに対応する対応情報Ｔ及び一括情報ＴＬを対応情報信号Ｓsbとして副記憶部５ｂから読み出し、夫々に含まれているその曲Ｍの嗜好度情報をインクリメントし、更に最終聴取日情報及び再生停止位置情報を更新した後、副記憶部５ｂに対応情報信号Ｓsbとして返還し、当該読み出し前の対応情報Ｔ及び一括情報ＴＬに代えて記憶させる。
【００６３】
一方、ＣＰＵ４は、操作部２からの操作信号Ｓcsに基づいて、曲Ｍを端末装置１０に転送する場合には、当該聴取される曲Ｍを曲信号Ｓmとして主記憶部５ａから読み出すと共に、当該読み出された曲Ｍに対応する対応情報Ｔ及び一括情報ＴＬを対応情報信号Ｓsbとして副記憶部５ｂから読み出し、これらを纏めて外部出力信号Ｓmoとしてインタフェース６に出力する。
【００６４】
これにより、インタフェース６は、当該外部出力信号Ｓmoに対して予め設定された出力インタフェース処理を施し、サーバ出力信号Ｓstとして端末装置１０へ出力する。
【００６５】
このとき、サーバ出力信号Ｓstの端末装置１０への出力を開始するタイミングとしては、例えば、端末装置１０上又はサーバ１上或いはそれらを接続する接続ケーブル上に設けられた転送開始ボタンを操作することにより開始することとすることもできるし、或いは、端末装置１０とサーバ１とが接続ケーブルにより接続されたことを検出し、当該接続されたことが検出されたとき即時に当該出力を開始することとしても良い。また、サーバ１から予め設定された距離の範囲内に端末装置１０が接近したことを検知し、その検知したタイミングから当該出力を例えば無線通信等により開始することとすることもできる。
【００６６】
他方、当該端末装置１０から、後述するようにその内容が変更された端末情報Ｔ及び一括情報ＴＬが端末出力信号Ｓtsとして返還されてきた時は、インタフェース６は、当該端末出力信号Ｓtsに対して予め設定された入力インタフェース処理を施し、外部入力信号ＳmiとしてＣＰＵ４へ出力する。
【００６７】
これにより、ＣＰＵ４は、当該外部入力信号Ｓmiに含まれている（内容が変更された）対応情報Ｔ及び一括情報ＴＬを、対応情報信号Ｓsbとして副記憶部５ｂに出力し、当該副記憶部５ｂに記憶されている転送前の対応情報Ｔ及び一括情報ＴＬに代えて記憶させる。
【００６８】
なお、上述した各処理を実行するに当たり、ＣＰＵ４は表示部３において表示すべき情報があるときは、当該情報を含む表示信号Ｓdsを生成して表示部３に出力し、当該表示部３は当該表示信号Ｓdsを受けてその必要な情報を表示する。
【００６９】
次に、端末装置１０における基本動作を説明する。
【００７０】
先ず、サーバ１から、端末装置１０において聴取することが所望されている曲Ｍ及び当該曲Ｍに対応する対応情報Ｔ並びに一括情報ＴＬを含むサーバ出力信号Ｓstが入力されてくると、インタフェース１３は、当該サーバ出力信号Ｓstに対して予め設定された入力インタフェース処理を実行し、外部入力信号ＳtiとしてＣＰＵ１４へ出力する。
【００７１】
そして、ＣＰＵ１４は、当該外部入力信号Ｓtiに含まれている曲Ｍと対応情報Ｔ及び一括情報ＴＬとを分離し、曲Ｍの方は曲信号Ｓmとして外部記憶部１６内の主記憶部１６ａに相互に識別可能に格納すると共に、対応情報Ｔ及び一括情報ＴＬの方は対応情報信号Ｓsbとして外部記憶部１６内の副記憶部１６ｂに相互に識別可能に格納する。
【００７２】
ここで、曲Ｍ並びに対応情報Ｔ及び一括情報ＴＬの格納の態様について図３右を用いて例示すると、当該図３右においては、サーバ１において（端末装置１０において聴取するものとして）選択され転送されてきた第１曲Ｍ１、第２曲Ｍ２、第５曲Ｍ５、第８曲Ｍ８及び第１０曲Ｍ１０が主記憶部１６ａ内に蓄積・記憶されている。そして、これら各曲Ｍは、ＣＰＵ１４からの制御により曲信号Ｓmとして当該ＣＰＵ１４に出力される。
【００７３】
一方、同じく図３右においては、上述した第１曲Ｍ１、第２曲Ｍ２、第５曲Ｍ５、第８曲Ｍ８及び第１０曲Ｍ１０に夫々一対一に対応する態様で、サーバ１から転送されてきた第１対応情報Ｔ１、第２対応情報Ｔ２、第５対応情報Ｔ５、第８対応情報Ｔ８及び第１０対応情報Ｔ１０が副記憶部１６ｂ内に蓄積・記憶されており、更に一括情報ＴＬも併せて副記憶部１６ｂ内に記憶されている。そして、これら各対応情報Ｔ及び一括情報ＴＬは、ＣＰＵ１４からの制御により対応情報信号Ｓsbとして当該ＣＰＵ１４に出力される。
【００７４】
次に、操作部１１において主記憶部１６ａに記憶されている各曲Ｍのうち使用者が聴取を希望する曲Ｍが選択されると、当該操作部１１は、その曲Ｍを示す操作信号Ｓttを生成してＣＰＵ１４に出力する。
【００７５】
これにより、ＣＰＵ１４は、操作部１１からの操作信号Ｓttに基づいて、当該聴取される曲Ｍを曲信号Ｓｍとして主記憶部１６ａから読み出し、これを出力信号Ｓotとして出力部１５に出力する。
【００７６】
そして、出力部１５は、当該出力信号Ｓot内に含まれている曲Ｍを上記使用者に対して出力する。この出力の態様として具体的には、上記出力部７と同様に、例えば図示しないスピーカを介して直接出力しても良いし、或いは、出力部１５にヘッドフォン又はイヤフォン等が接続されているときはそのヘッドフォン等に出力しても良い。
【００７７】
これと並行して、ＣＰＵ１４は、その聴取される曲Ｍに対応する対応情報Ｔ及び一括情報ＴＬを対応情報信号Ｓsbとして副記憶部１６ｂから読み出し、夫々に含まれているその曲Ｍの嗜好度情報をインクリメントし、更に最終聴取日情報及び再生停止位置情報を更新した後、副記憶部１６ｂに対応情報信号Ｓsbとして返還し、当該読み出し前の対応情報Ｔ及び一括情報ＴＬに代えて記憶させる。
【００７８】
そして、端末装置１０における曲Ｍの聴取が全て終わると、操作部１１からの操作信号Ｓttに基づいて、ＣＰＵ１４は、上記内容が変更された対応情報Ｔ及び一括情報ＴＬを副記憶部１６ｂから対応情報信号Ｓsbとして読み出し、これらを纏めて外部出力信号Ｓtoとしてインタフェース１３に出力する。
【００７９】
これにより、インタフェース１３は、当該外部出力信号Ｓtoに対して予め設定された出力インタフェース処理を施し、端末出力信号Ｓtsとしてサーバ１へ出力する。
【００８０】
このとき、端末出力信号Ｓtsのサーバ１への出力を開始するタイミングとしては、例えば、サーバ１と端末装置１０との間の転送経路が確立された後、端末装置１０が当該出力の必要性を認識したとき（より具体的には、例えば対応情報Ｔ又は一括情報ＴＬが変更されたことが端末装置１０において認識されたとき等）から出力を開始することとすることもできる。
【００８１】
そして、サーバ１は、当該端末出力信号Ｓtsとして返還されてきた端末情報Ｔ及び一括情報ＴＬを、インタフェース６及びＣＰＵ４を介して副記憶部５ｂに出力し、上述したように、当該副記憶部５ｂに記憶されている転送前の対応情報Ｔ及び一括情報ＴＬに代えて記憶させる。
【００８２】
なお、上述した各処理を実行するに当たり、ＣＰＵ１４は表示部１２において表示すべき情報があるときは、当該情報を含む表示信号Ｓdtを生成して表示部１２に出力し、当該表示部１２は当該表示信号Ｓdtを受けてその必要な情報を表示する。
【００８３】
次に、上述した対応情報Ｔ及び一括情報ＴＬの取扱いについて、図３及び図４を用いて例示しつつ詳説する。
【００８４】
先ず、図３に示すように、サーバ１内の主記憶部５ａに蓄積・記憶されている曲Ｍのうち、第１曲Ｍ１、第２曲Ｍ２、第５曲Ｍ５、第８曲Ｍ８及び第１０曲Ｍ１０を端末装置１０に転送する旨の指示が操作部２において為されると、ＣＰＵ４は当該選択された第１曲Ｍ１、第２曲Ｍ２、第５曲Ｍ５、第８曲Ｍ８及び第１０曲Ｍ１０を曲信号Ｓmとして主記憶部５ａから読み出すと共に、当該第１曲Ｍ１、第２曲Ｍ２、第５曲Ｍ５、第８曲Ｍ８及び第１０曲Ｍ１０に対応する第１対応情報Ｔ１、第２対応情報Ｔ２、第５対応情報Ｔ５、第８対応情報Ｔ８及び第１０対応情報Ｔ１０並びに一括情報ＴＬを副記憶部５ｂから対応情報信号Ｓsbとして読み出し、これらを含むサーバ出力信号Ｓstを生成して端末装置１０へ出力する。このとき、転送される各対応情報Ｔにおける転送回数情報２７は一回分だけインクリメントされる。
【００８５】
そして、サーバ出力信号Ｓstが端末装置１０において受信されると、ＣＰＵ１４はこれに含まれる第１曲Ｍ１、第２曲Ｍ２、第５曲Ｍ５、第８曲Ｍ８及び第１０曲Ｍ１０を曲信号Ｓmとして主記憶部１６ａに記憶させると共に、対応する第１対応情報Ｔ１、第２対応情報Ｔ２、第５対応情報Ｔ５、第８対応情報Ｔ８及び第１０対応情報Ｔ１０並びに一括情報ＴＬを副記憶部１６ｂに記憶させる。
【００８６】
以上の処理によりサーバ１から端末装置１０への曲Ｍ等の一回の転送が終了する。この状態では、図３右に示すように、転送された当該曲Ｍ等が外部記憶部１６内に記憶されている。
【００８７】
次に、端末装置１０における当該記憶されている曲Ｍに対する選択及び聴取が開始されるわけであるが、このとき、一回の聴取が完了する度に、その聴取された曲Ｍに対応する対応情報Ｔにおける最終聴取日情報２６及び嗜好度情報２４並びに再生停止位置情報２８がその聴取の態様に併せて更新される。より具体的には、同一の日に同じ曲Ｍが何度も聴取されたときはその曲Ｍの最終聴取日情報２６は更新されないが、一方、嗜好度情報２４は一度聴取されるたびにインクリメントされ、更に再生停止位置情報２８は各聴取における再生停止位置（換言すれば、聴取終了位置）を示すように各聴取毎に更新される。
【００８８】
また、これと並行して、一括情報ＴＬにおける曲別最終聴取日一覧３３及び曲別嗜好度一覧３４も併せて対応する部分が更新される。
【００８９】
次に、当該更新後の各対応情報Ｔ及び一括情報ＴＬを、夫々第１対応情報Ｔ１’、第２対応情報Ｔ２’、第５対応情報Ｔ５’、第８対応情報Ｔ８’及び第１０対応情報Ｔ１０’並びに一括情報ＴＬ’とすると、端末情報１０における曲Ｍの聴取が全て完了した時点では、図４右に示すように、上記した第１対応情報Ｔ１’等及び一括情報ＴＬ’が元の第１曲Ｍ１等と共に外部記憶部１６内に記憶されている。
【００９０】
そして、操作部１１において現在端末装置１０内に記憶されている曲Ｍの聴取を完了する旨の操作が為され、且つ端末装置１０とサーバ１とが再度接続されると、ＣＰＵ１４は、この第１対応情報Ｔ１’、第２対応情報Ｔ２’、第５対応情報Ｔ５’、第８対応情報Ｔ８’及び第１０対応情報Ｔ１０’並びに一括情報ＴＬ’により端末出力信号Ｓtsを構成してサーバ１に出力する。このとき、端末装置１０内に記憶されていた第１曲Ｍ１等は、著作権保護の要請からサーバ１には転送されない。
【００９１】
これにより、当該端末出力信号Ｓtsを受信したサーバ１はこれに含まれる第１対応情報Ｔ１’等及び一括情報ＴＬ’を対応情報信号Ｓsbとして外部記憶部５内の副記憶部５ｂに出力し、転送前の第１対応情報Ｔ１、第２対応情報Ｔ２、第５対応情報Ｔ５、第８対応情報Ｔ８及び第１０対応情報Ｔ１０並びに一括情報ＴＬに代えて新たに転送されてきた第１対応情報Ｔ１’、第２対応情報Ｔ２’、第５対応情報Ｔ５’、第８対応情報Ｔ８’及び第１０対応情報Ｔ１０’並びに一括情報ＴＬ’を記憶させる。
【００９２】
以上の処理により、端末装置１０における聴取の態様に応じて、副記憶部５ｂに蓄積・記憶されている各対応情報Ｔ及び一括情報ＴＬの内容が更新されることとなる。
【００９３】
そして、これ以後は、当該更新された内容に基づいて、次回の端末装置１０に転送される曲Ｍが使用者により選択されたり、或いはサーバ１自体において聴取される曲Ｍが選択されたりする処理等が実行される。
【００９４】
より具体的には、例えば、サーバ１又は新たに曲Ｍが転送された端末装置１０において聴取する曲Ｍを選択する際に、更新された対応情報Ｔにおける嗜好度情報２４の内容に基づいて嗜好度の高い曲Ｍ（すなわち、サーバ１又は端末装置１０において頻繁に聴取されている曲Ｍ）から順に選択させるように表示部３又は１２に表示させたり、或いは、サーバ１又は新たに曲Ｍが転送された端末装置１０において曲Ｍを聴取する場合に、その曲Ｍに対応する対応情報Ｔにおける再生停止位置情報２８に基づいて、前回まで聴取した位置の直後の位置から今回の端末装置１０における聴取を開始するように構成したりすることができる。
【００９５】
また、サーバ１又は新たに曲Ｍが転送された端末装置１０において曲Ｍを選択する場合に、各曲Ｍに対応する対応情報Ｔにおける最終聴取日情報２６に基づいて、最後に聴取した日が新しい順番に曲Ｍを選択させるように表示部３又は１２に表示させることができる。
【００９６】
なお、上述の実施形態における対応情報Ｔ及び一括情報ＴＬの授受においては、図２に示す当該対応情報Ｔ及び一括情報ＴＬ全体を夫々その都度授受する場合について説明したが、これ以外に、当該対応情報Ｔ及び一括情報ＴＬのうち端末装置１０において変更された項目のみサーバ１に返信するように構成してもよい。この場合には、当該対応情報Ｔ及び一括情報ＴＬの伝送に必要な情報量を低減して節約することができることとなる。
（II）予約処理の実施形態
次に、上述した如く逐次更新される一括情報ＴＬを特に用いた予約処理の実施形態について、図５を用いて説明する。
【００９７】
なお、図５は当該予約処理を示すフローチャートである。
【００９８】
上述したように、一括情報ＴＬにはサーバ１に蓄積・記憶されている全ての曲Ｍの曲名等が一覧として記述されているため、実施形態のオーディオシステムＳにおいては、これを用いて次回サーバ１から端末装置１０に転送すべき曲Ｍを予め端末装置１０において予約することができる。
【００９９】
すなわち、当該予約処理としては、図５に示すように、最初にサーバ１から端末措置１０への曲Ｍの転送と共に一括情報ＴＬの転送が開始されるか否かが確認され（ステップＳ１）、転送が実行されないときは（ステップＳ１；ＮＯ）そのまま待機し、一方、転送が実行されるときは（ステップＳ１；ＹＥＳ）、次に、その転送を曲Ｍと共に実行する（ステップＳ２）。
【０１００】
次に、当該転送された曲Ｍの聴取が端末装置１０において実行されている間は、転送された一括情報ＴＬにおいてもそれに含まれる曲別最終聴取日一覧３３及び曲別嗜好度一覧３４の更新がその曲Ｍの聴取の態様に応じて行われているが、このとき、次回端末装置１０に転送すべき曲Ｍの予約を行う旨の操作が操作部１１において実行されると、ＣＰＵ１４は、一括情報ＴＬにおける保有曲名一覧３０及び保有曲アーティスト一覧３１並びに曲別録音日一覧３２に基づき、サーバ１内に蓄積・記憶されている曲Ｍの曲名、アーティスト名及び録音日を表示部１２に表示する（ステップＳ３）。この場合に、それまでの曲Ｍの聴取の態様に合わせて更新されている嗜好度情報２４を用いて嗜好度の高い順に表示しても良い。
【０１０１】
そして、全曲名が表示されてその中から次回端末装置１０に転送されるべき曲Ｍが選択（予約）されると（ステップＳ４）、その内容をＣＰＵ１４内の図示しないメモリ等に記憶することにより当該予約処理を実行し（ステップＳ５）、更なる予約があるか否かが表示部１２にその旨を表示する等して確認される（ステップＳ６）。
【０１０２】
ステップＳ６の判定において、更なる予約が必要であるときは（ステップＳ６；ＹＥＳ）再度ステップＳ４乃至Ｓ６に戻って予約処理を行い、一方、予約処理が完了しているときは（ステップＳ６；ＮＯ）、その予約内容に応じて副記憶部５ｂに記憶されている一括情報ＴＬ内の予約情報３５を更新して一括情報ＴＬ’とする。
【０１０３】
そして、端末装置１０における曲Ｍの聴取が完了して上述した対応情報Ｔ’及び一括情報ＴＬ’を再度サーバ１に返還するか否かが確認され（ステップＳ７）、返還が指示されていないときは（ステップＳ７；ＮＯ）指示されるまで待機し、一方、返還が指示されているときは（ステップＳ７；ＹＥＳ）、当該対応情報Ｔ’及び一括情報ＴＬ’をサーバ１に返還して（ステップＳ８）一連の予約処理を終了する。
【０１０４】
これ以後は、サーバ１において、次回の端末装置１０に対する曲Ｍの転送時に、そのときの予約情報３５に含まれている予約内容に応じて転送すべき曲Ｍが選択されてその転送が実行されることとなる。
（III）転送曲選択処理の実施形態
次に、上述した如く逐次更新される対応情報Ｔにおける転送回数情報２７を特に用いた転送曲選択処理の実施形態について、図６を用いて説明する。
【０１０５】
なお、図６は当該転送曲選択処理の内容を示す模式図である。
【０１０６】
上述したように、転送回数情報２７は、各曲Ｍに対応付けて設けられているものであり、その曲Ｍのサーバ１から端末装置１０への転送が行われる度に「１」だけインクリメントされる情報である。
【０１０７】
そこで、実施形態のオーディオシステムＳにおいては、当該転送回数情報２７が予め設定されている閾値以上の値となったときには、その値となっている転送回数情報２７に対応する曲Ｍをサーバ１から端末装置１０への転送の対象から除外することとする。
【０１０８】
すなわち、より具体的に図６を用いて説明すると、先ず、サーバ１において端末装置１０に転送すべき曲Ｍを選択する場合には、例えば図６左に示すように、各曲Ｍに対応する嗜好度情報２４に基づいて当該嗜好度が高い順に表示部３に表示し、その選択が実行される。図６左の場合は、最も嗜好度の高い曲Ｍから数えて５曲分を転送することと予め設定されている場合であり、具体的には、最も嗜好度の高い（換言すれば使用者の嗜好に最も合致している）第５２曲Ｍ５２から順に、第２８５曲Ｍ２８５、第９０曲Ｍ９０、第１６８４曲Ｍ１６８４及び第７２５曲Ｍ７２５が転送される曲Ｍとして選択され、これらが対応する対応情報Ｔ及び一括情報ＴＬと共に転送される。
【０１０９】
このとき、当該転送が完了された時点で、ＣＰＵ１４により、第５２曲Ｍ５２に対応する第５２対応情報Ｔ５２、第２８５曲Ｍ２８５に対応する第２８５対応情報Ｔ２８５、第９０曲Ｍ９０に対応する第９０対応情報Ｔ９０、第１６８４曲Ｍ１６８４に対応する第１６８４対応情報Ｔ１６８４及び第７２５曲Ｍ７２５に対応する第７２５対応情報Ｔ７２５の夫々における転送回数情報２７が「１」だけインクリメントされた後に、上記副記憶部１６ｂに記憶される。なお、当該転送回数情報２７のインクリメントは、当該転送が完了する前にサーバ１側で行ってもよい。
【０１１０】
そして、端末装置１０における各曲Ｍの聴取が完了し、更に対応する更新された対応情報Ｔ’及び一括情報ＴＬ’がサーバ１に返還されてくると、その段階では、図６右に示すように、第５２対応情報Ｔ５２、第２８５対応情報Ｔ２８５、第９０対応情報Ｔ９０、第１６８４対応情報Ｔ１６８４及び第７２５対応情報Ｔ７２５の夫々における嗜好度情報２４が端末装置１０における聴取の態様に応じて更新されていると共に、各対応情報Ｔ’における転送回数情報２７も、そのサーバ１からの転送前（図６左）に比して夫々「１」だけインクリメントされている（図６右においてより具体的には、第５２対応情報Ｔ５２における転送回数情報は「２」から「３」に、第２８５対応情報Ｔ２８５における転送回数情報は「１」から「２」に、第９０対応情報Ｔ９０における転送回数情報は「２」から「３」に、第１６８４対応情報Ｔ１６８４における転送回数情報は「１」から「２」に、第７２５対応情報Ｔ７２５における転送回数情報は「１」から「２」に、夫々インクリメントされている。）。
【０１１１】
このとき、上述した転送回数情報２７についての閾値が仮に「３」とされているとすると、次回のサーバ１からの曲Ｍの転送においては、過去の転送回数が「３」以上の曲Ｍはその転送対象から除外されて転送する曲Ｍの転送が行われる。
【０１１２】
より具体的には、次回の転送における転送する曲Ｍの選択では、転送回数情報２７が「３」に達した第５２曲Ｍ５２及び第９０曲Ｍ９０は転送対象から除外され、それ以外の曲Ｍの中で嗜好度情報２４の値が高いものから順に転送候補として提示されることとなり、その中の例えば上位５曲（図６右の場合は、第２８５曲Ｍ２８５、第７２５曲Ｍ７２５、第１６８４曲Ｍ１６８４、第９曲Ｍ９及び第６９７曲Ｍ６９７）が転送曲として端末装置１０に転送される。
【０１１３】
なお、転送回数情報２７が上記閾値に到達した曲Ｍは、それ以後全く転送されなくなるのであるが、この場合には、以下に述べる方法により当該転送回数情報２７が初期化され（すなわち、その値が「０」とされ）、その後は再度転送候補の曲Ｍとなるのである。
【０１１４】
すなわち、当該転送回数情報２７の初期化の方法としては、第一に、サーバ１上に初期化スイッチを予め設けておき、これを使用者が操作することで転送回数情報２７を初期化するように構成することができる。
【０１１５】
また、第二に、対応情報Ｔの一部として、サーバ１から端末装置１０への転送が実施されたにも拘わらず対応する曲Ｍが転送されなかった回数を示す転送非実行回数情報を各曲Ｍ毎に別途設けておき、転送回数情報２７が上記閾値となったことで転送対象から除外された後に他の曲Ｍの転送が実行された回数を上記転送非実行回数情報として記憶し、当該転送非実行回数情報の値が予め設定された他の閾値（例えば、「２」）となった時点で、転送回数情報２７を初期化するように構成しても良い。
【０１１６】
更に、第三として、転送回数情報２７がその閾値（図６の場合は「３」）に到達する転送が実行されてからＣＰＵ４内の図示しないタイマにおける計時を開始し、その後に（すなわち転送対象から除外され始めてから）予め設定された期間（例えば一週間）が経過したときに当該転送回数情報２７を初期化するように構成しても良い。なお、当該期間の計時開始は、転送回数情報２７がその閾値に到達する転送が実行されたとき以外に、その次の転送が行われたときから計時を開始しても良い。
【０１１７】
なお、上述した転送回数情報２７をサーバ１でのみ管理すべく、当該転送回数情報２７は端末装置１０には転送しないこととし、サーバ１から端末装置１０に対して曲Ｍが転送される度に、その転送された曲Ｍに対応する転送回数情報２７をサーバ１においてのみインクリメントすることとしてもよい。
【０１１８】
以上説明したように、実施形態のオーディオシステムＳの動作によれば、各曲Ｍに一対一に対応すると共に曲名情報２０及び嗜好度情報２４等を含む対応情報Ｔを当該各Ｍと共に端末装置１０に転送し、端末装置１０においてその聴取の態様に応じて対応情報Ｔを変更した後にサーバ１に返還し、更に当該端末装置１０から返還されてきた対応情報Ｔ（Ｔ’）を転送前の元の対応情報Ｔに代えて蓄積・記憶するので、当該端末装置１０における聴取の態様をサーバ１において把握することができ、次回の曲Ｍの端末装置１０への転送の際にその態様を反映して転送することができる。
【０１１９】
また、端末装置１０における活用の態様をサーバ１において把握することができるので、当該サーバ１において各曲Ｍを聴取する場合にも、端末装置における聴取の態様を反映させることでオーディオシステムＳとしての利便性を更に向上させることができる。
【０１２０】
更に、保有曲名一覧３０及び曲別嗜好度一覧３４等を含む一括情報ＴＬを当該各曲Ｍと共に端末装置１０に出力し、端末装置１０においてその聴取の態様に応じて一括情報ＴＬを変更した後にサーバ１に返還し、更に当該端末装置１０から返還されてきた一括情報ＴＬ（ＴＬ’）を転送前の元の一括情報ＴＬに代えて記憶するので、当該端末装置１０における聴取の態様をサーバ１において更に総括的に把握することができ、次回の曲Ｍの端末装置１０への転送の際にその態様を反映して転送することができる。
【０１２１】
また、端末装置１０における聴取の態様をサーバ１において更に総括的に把握することができるので、当該サーバ１において各曲Ｍを活用する場合にも、端末装置１０における聴取の態様を反映させることができる。
【０１２２】
また、端末装置における曲の聴取の態様をサーバ装置において把握することができるので、当該サーバ装置において各曲を聴取する場合にも、端末装置における聴取の態様を反映させることができる。
【０１２３】
なお、上述した実施形態においては、サーバ１に蓄積・記憶されている情報が複数の曲Ｍである場合について説明したが、これ以外に、例えばサーバ１に、複数の映画等の画像情報を、これらの内容又は属性を個々に示す対応情報並びに総括的にそれらを示す一括情報と共に蓄積・記憶しておき、これらを、当該画像情報の再生が可能な携帯型の端末装置に転送して聴取する場合にも本発明を適用することが可能である。
【０１２４】
更に、上記曲又は画像情報の転送経路としては、上述した家庭内の有線経路ではなく、例えばインターネット等のネットワークを介して離れた場所に転送しても良いし、或いは近年規格化されつつあるいわゆるブルートゥース（Blue  Tooth）規格等に則った短距離無線通信方法を用いて曲又は画像情報を転送しても良いし、更には、サーバ１及び端末装置１０の夫々に携帯電話機を接続し、それらを用いて電話回線を介して曲又は画像情報を転送しても良い。
【０１２５】
また、上述した各実施形態に係るサーバ１又は端末装置１０における処理に対応するプログラムをフレキシブルディスク又はハードディスク等の情報記録媒体に記録させておき、これをサーバ１及び端末装置１０に備えられた汎用のマイクロコンピュータにより読み出して実行することで、当該マイクロコンピュータを、上記ＣＰＵ４及びＣＰＵ１４として機能させることも可能である。
【図面の簡単な説明】
【図１】実施形態のオーディオシステムの全体構成を示すブロック図である。
【図２】実施形態の対応情報及び一括情報の内容を示す図であり、（ａ）は対応情報の内容を示す図であり、（ｂ）は一括情報の内容を示す図である。
【図３】実施形態に係る対応情報及び一括情報の取扱いを示す模式図（Ｉ）である。
【図４】実施形態に係る対応情報及び一括情報の取扱いを示す模式図（II）である。
【図５】実施形態の予約処理を示すフローチャートである。
【図６】実施形態の転送曲選択処理を示す模式図である。
【符号の説明】
１…サーバ
２、１１…操作部
３、１２…表示部
４、１４…ＣＰＵ
５、１６…外部記憶部
５ａ、１６ａ…主記憶部
５ｂ、１６ｂ…副記憶部
６、１３…インタフェース
７、１５…出力部
１０…端末装置
２０…曲名情報
２１…読み仮名情報
２２…アーティスト情報
２３…ジャンル情報
２４…嗜好度情報
２５…録音日情報
２６…最終聴取日情報
２７…転送回数情報
２８…再生停止位置情報
３０…保有曲名一覧
３１…保有曲アーティスト一覧
３２…曲別録音日一覧
３３…最終聴取日一覧
３４…曲別嗜好度一覧
３５…予約情報
Ｓ…オーディオシステム
Ｍ１…第１曲
Ｍ２…第２曲
Ｍ３…第３曲
Ｍ４…第４曲
Ｍ５…第５曲
Ｍ６…第６曲
Ｍ７…第７曲
Ｍ８…第８曲
Ｍ９…第９曲
Ｍ１０…第１０曲
Ｍ１１…第１１曲
Ｍ１２…第１２曲
Ｍ５２…第５２曲
Ｍ７３…第７３曲
Ｍ９０…第９０曲
Ｍ１３６…第１３６曲
Ｍ２８５…第２８５曲
Ｍ６９７…第６９７曲
Ｍ７２５…第７２５曲
Ｍ９１７…第９１７曲
M１６８４…第１６８４曲
Ｔ…対応情報
Ｔ１、Ｔ１’…第１対応情報
Ｔ２、Ｔ２’…第２対応情報
Ｔ３…第３対応情報
Ｔ４…第４対応情報
Ｔ５、Ｔ５’…第５対応情報
Ｔ６…第６対応情報
Ｔ７…第７対応情報
Ｔ８、Ｔ８’…第８対応情報
Ｔ９…第９対応情報
Ｔ１０、Ｔ１０’…第１０対応情報
Ｔ１１…第１１対応情報
Ｔ１２…第１２対応情報
ＴＬ、ＴＬ’…一括情報
Ｓm…曲信号
Ｓsb…対応情報信号
Ｓcs、Ｓtt…操作信号
Ｓos、Ｓot…出力信号
Ｓmo、Ｓto…外部出力信号
Ｓst…サーバ出力信号
Ｓts…端末出力信号
Ｓmi、Ｓti…外部入力信号
Ｓds、Ｓdt…表示信号
【図１】
0004216460.tif 000002
【図２】
0004216460.tif 000003
【図３】
0004216460.tif 000004
【図４】
0004216460.tif 000005
【図５】
0004216460.tif 000006
【図６】
0004216460.tif 000007